(57)【特許請求の範囲】
【請求項１】
ワークに薬液浸漬せしめる薬液浸漬処理装置であって、前記ワークを直線状に移動可能とする搬送手段に、前記ワークの搬送方向に所定間隔をおいて配設された壁部により区画されるワーク配設部が該ワークの搬送方向に複数並設され、また、前記ワーク配設部は移動不能な区画部内において近接状態にして移動可能に構成され、前記ワーク配設部には薬液を導入する薬液導入部及び前記薬液を導出する薬液導出部が設けられ、前記ワークに薬液浸漬せしめる薬液溜部は、前記ワーク配設部が前記区画部内を移動する際、前記壁部と前記区画部とにより囲繞され前記薬液導入部からの薬液導入量に比し前記薬液導出部からの薬液導出量が減少することで前記薬液が溜められて形成される部位であることを特徴とする薬液浸漬処理装置。
【請求項２】
請求項１記載の薬液浸漬処理装置において、前記区画部には薬液排出部が設けられていることを特徴とする薬液浸漬処理装置。
【請求項３】
請求項１，２いずれか１項に記載の薬液浸漬処理装置において、前記ワーク配設部の移動は、所定時間で進行と停止とを繰り返す間欠式移動が採用されていることを特徴とする薬液浸漬処理装置。
【請求項４】
請求項１〜３いずれか１項に記載の薬液浸漬処理装置において、前記ワーク配設は、無限循環運動する搬送ライン上に設けられていることを特徴とする薬液浸漬処理装置。
【請求項５】
請求項１〜４いずれか１項に記載の薬液浸漬処理装置において、前記薬液は前記薬液溜部の下方から供給されるように構成されていることを特徴とする薬液浸漬処理装置。
【発明の詳細な説明】
【０００１】
【発明の属する技術分野】
本発明は、薬液浸漬処理装置に関するものである。
【０００２】
【従来の技術及び発明が解決しようとする課題】
プレスなどにより一時加工されたワークに薬液などによって化学処理を行う方法には、薬液溜部に適宜な方法により薬液を注ぎ、薬液を溜めた薬液溜部にワークを浸漬して化学処理を行う薬液浸漬処理方法と、前記薬液浸漬処理方法のように溜めた薬液にワークを浸漬するのではなく、シャワー装置によってワークに薬液を散布するシャワー処理方法とがあるが、ワークの化学処理の際に可及的にワークと空気とを接触させたくない場合などには前記シャワー処理方法は採用することができず、必然的に薬液浸漬処理方法が採用される。
【０００３】
ところで、ワークに表面調整や化成処理の異なる化学処理を続けて行う為に、該ワークを夫々異なる薬液が溜められた複数の薬液溜部に順次浸漬して化学処理を行う場合など、並設された複数の薬液溜部で異なる薬液浸漬処理を順次行う薬液浸漬処理装置は、一般的にワークが各薬液溜部中を通過するように構成されている。
【０００４】
具体的には、図１に図示したように、ワーク３を載置する搬送ライン５は薬液２が溜められている一の薬液溜部と他の薬液溜部との間に設けられる壁部31を乗り越えるように構成される為、該壁部31付近において、搬送ライン５は一旦斜め上方へ上昇し、続いて、壁部31を乗り越え、続いて、斜め下方へ降下するように設定されている（以下、従来例という。尚、実施例と同一構成部分には同一符号を付した。）。
【０００５】
しかし、この従来例では、搬送ライン５が斜め上方に上昇したり斜め下方に降下したりする為、該上昇工程部分と降下工程部分の分、薬液浸漬処理装置全体の長さが長くなってしまうという問題点がある。
【０００６】
更に、例えば、反応性の高いワークの化成処理など、ワーク３を一の薬液溜部１ａから他の薬液溜部１ｂへ可及的に迅速に搬送しなければならない場合、従来例では、前記搬送ライン５が薬液溜部１の壁部31を乗り越える工程が邪魔になるという問題点がある。また、搬送ライン５が薬液溜部１の壁部31を乗り越える時間を可及的に少なくする為には搬送ライン５の移動速度を速めねばならないが、この場合、ワーク３が薬液２に浸漬している時間を必要時間確保しなければならない為、薬液溜部１の前後長が長くなり、薬液浸漬処理装置全体の長さが更に長くなってしまうという問題点がある。
【０００７】
また、前記従来例とは異なり、図２に図示したような、搬送ライン５にワーク３を吊り下げて移動するタイプの薬液浸漬処理装置においても、同様の問題が発生する。
【０００８】
本発明は、上記問題点を解決した薬液浸漬処理装置を提供するものである。
【０００９】
【課題を解決するための手段】
添付図面を参照して本発明の要旨を説明する。
【００１０】
ワーク３に薬液浸漬せしめる薬液浸漬処理装置であって、前記ワーク３を直線状に移動可能とする搬送手段に、前記ワーク３の搬送方向に所定間隔をおいて配設された壁部７により区画されるワーク配設部25が該ワーク３の搬送方向に複数並設され、また、前記ワーク配設部25は移動不能な区画部６内において近接状態にして移動可能に構成され、前記ワーク配設部25には薬液２を導入する薬液導入部21及び前記薬液２を導出する薬液導出部22が設けられ、前記ワーク３に薬液浸漬せしめる薬液溜部１は、前記ワーク配設部25が前記区画部６内を移動する際、前記壁部７と前記区画部６とにより囲繞され前記薬液導入部21からの薬液導入量に比し前記薬液導出部22からの薬液導出量が減少することで前記薬液２が溜められて形成される部位であることを特徴とする薬液浸漬処理装置に係るものである。
【００１１】
また、請求項１記載の薬液浸漬処理装置において、前記区画部６には薬液排出部20が設けられていることを特徴とする薬液浸漬処理装置に係るものである。
【００１２】
また、請求項１，２いずれか１項に記載の薬液浸漬処理装置において、前記ワーク配設部の移動は、所定時間で進行と停止とを繰り返す間欠式移動が採用されていることを特徴とする薬液浸漬処理装置に係るものである。
【００１３】
また、請求項１〜３いずれか１項に記載の薬液浸漬処理装置において、前記ワーク配設は、無限循環運動する搬送ライン５上に設けられていることを特徴とする薬液浸漬処理装置に係るものである。
【００１４】
また、請求項１〜４いずれか１項に記載の薬液浸漬処理装置において、前記薬液２は前記薬液溜部１の下方から供給されるように構成されていることを特徴とする薬液浸漬処理装置に係るものである。
【００１５】
【発明の作用及び効果】
請求項１記載の発明においては、ワーク３はワーク配設部25に配設され、このワーク配設部25は適宜な手段により直線状に移動し、また、ワーク配設部25は薬液２が導入されたり導出されたりする構成の為、ワーク３をワーク配設部25に配設し、このワーク配設部25が区画部６内を移動する際に形成される薬液溜部１に薬液２を導入して溜め、該ワーク３を薬液浸漬処理し、続いて、この薬液溜部１から該薬液２を導出し、別の薬液２を該薬液溜部１に導入して薬液浸漬処理し、この繰り返しにより、ワーク３を移動させつつ複数の薬液２でワーク３を薬液浸漬処理することができる。
【００１６】
このように請求項１の発明は、薬液２を上方からシャワーとして散布する方法ではない為、反応性の高い素材のワーク３などでも良好に化学処理することができ、また、ワーク３を浸漬処理する場合、一の薬液２により浸漬処理した後のワーク３の移動は従来例と異なり直線状となるから、薬液浸漬処理装置全体の長さを短くすることや、ワーク３の一の薬液処理から他の薬液処理までの時間を短縮することができる。
【００１７】
本発明は上述のように構成したから、薬液浸漬処理装置全体の長さを短くすることができ、更に一の薬液処理から他の薬液処理までの時間を短縮して薬液浸漬処理を良好に行うことができる実用性に秀れた薬液浸漬処理装置となる。
【００１８】
【発明の実施の形態】
図３〜７は本発明の一実施例を図示したものであり、以下に説明する。
【００１９】
本実施例は、薬液２を溜めるワーク配設部25が複数並設され、このワーク配設部25にワーク３を配設して該ワーク３に薬液浸漬処理を施す薬液浸漬処理装置４であって、複数のワーク配設部25が適宜な手段により直線状に移動可能に構成され、また、この複数のワーク配設部25には該ワーク配設部25に薬液２の導入する薬液導入部21及び薬液２を導出する薬液導出部22が設けられているものである。
【００２０】
ワーク配設部25は無限循環運動する搬送ライン５（ワーク搬送体５）に設けられている。具体的には、搬送ライン５には搬送方向と直交する方向に配設される壁部７が所定間隔を置いて複数並設され、該壁部７間がワーク配設部25に設定されている。
【００２１】
即ち、壁部７間にして搬送ライン５の上部はワーク３を載置するワーク配設部25に設定されている。
【００２２】
また、ワーク配設部25が通液可能に設定されて薬液導入部21及び薬液導出部22が設けられている。具体的には、ワーク配設部25はワーク３を支持する支持板材や回転ローラが複数並設された構成で、該支持板材や回転ローラの隙間から導入される薬液２や導出される薬液２が通過できるように構成されている。
【００２３】
また、搬送ライン５は所定時間で進行と停止とを繰り返す間欠動作式の搬送ライン５が採用されており、必然的にワーク配設部25も間欠動作しながら移動する。
【００２４】
搬送ライン５と共に移動するワーク配設部25の左右側方及び下方には該ワーク配設部25と近接状態で薬液２を充填することができる区画部６が移動不能に設けられ、この区画部６は所定長を有し、所定箇所において薬液２の導入及び導出が可能に構成され、更に該区画部６内においてワーク配設部25が移動可能に構成されている。
【００２５】
また、区画部６には薬液排出部20が設けられており、該薬液排出部20から薬液２が排出されるように構成されている。
【００２６】
また、搬送ライン５の下方にして薬液浸漬処理装置４には、ワーク配設部25に薬液２を供給する薬液供給部９が該ワーク配設部25の移動方向に沿って複数並設されている。この薬液供給部９から供給された薬液２は、前記搬送ライン５のワーク配設部25の薬液導入部21を通過してワーク配設部25内のワーク３に達する。
【００２７】
即ち、薬液供給部９から供給された薬液２は、ワーク配設部25内のワーク３が前後の壁部７と区画部６とによって囲繞された状態において、該前後の壁部７と区画部６との隙間などからは漏洩するものの、該漏洩される薬液２よりも薬液供給部９から供給される薬液２の方が多ければ該前後の壁部７と区画部６とによって囲繞されて成る薬液溜部１内で薬液２は所定の液位となり、該薬液溜部１内のワーク３を薬液２に浸漬することができる。
【００２８】
また、薬液供給部９から供給される薬液２が多すぎて薬液２の液位が高くなり過ぎた場合、薬液２は前後の壁部７若しくは区画部６を乗り越えて薬液溜部１から排出されるか、若しくは隣接する薬液溜部１に供給される。
【００２９】
薬液供給部９の下方には、前記前後の壁部７と区画部６との隙間などから漏洩された薬液２や、前記前後の壁部７若しくは区画部６を乗り越えて薬液溜部１から排出された薬液２を集めて回収する薬液回収部10がワーク配設部25の移動方向に沿って複数設けられている。また、薬液回収部10の下方には、回収された薬液２を貯溜する薬液貯溜部11が夫々設けられている。また、薬液貯溜部11と薬液供給部９とは連結されており、該薬液貯溜部11に貯溜された薬液２は薬液供給部９から再び供給される。
【００３０】
図中、符号12は搬送ライン５のワーク配設部25にワーク２を供給するワーク供給部、13は薬液浸漬処理を終えたワーク２を回収するワーク回収部、14は薬液２が薬液浸漬処理装置４外へ漏洩することを防止する外壁部、15は区画部６と外壁部14との間に設けられ搬送ライン５の搬送方向へ移動して該搬送ライン５、即ちワーク配設部25を移動させるチェーン状の駆動部材、16は搬送ライン５の始端と終端とに設けられ前記駆動部材15と噛合し回転して該駆動部材15を移動させる回転体、17は駆動部15を支持して該駆動部15及び搬送ライン５の水平移動を支持する支持部、18は搬送ライン５と駆動部15とを連結し搬送ライン５を吊り下げ状態で支持するアーム部である。
【００３１】
また、外壁部14は、左右方向（搬送ライン５の搬送方向）にスライド移動自在で且つ着脱自在に設けられており、必要に応じて外壁部14を左右にスライドさせたり取り外したりしてワーク配設部25や搬送ライン５や区画部６や駆動部材15などの点検，補修などを簡単に行えるように構成している。
【００３２】
以下、本実施例の作用について詳述する。
【００３３】
ワーク配設部25内、即ち、搬送ライン５のワーク配設部25に載置されたワーク３は、搬送ライン５の移動に伴い、該搬送ライン５の近傍に区画部６が設けられている部位に到達する。
【００３４】
この際、ワーク３の左右側方及び下方には区画部６が設けられ且つ前後には壁部７が設けられた状態となり、この区画部６と壁部７とによって囲繞されて成る薬液溜部１に搬送ライン５の下方の薬液供給部９及び薬液導入部21から供給された薬液２が溜められていき、該溜められた薬液２によってワーク３に薬液浸漬処理が行われる。また、区画部６と壁部７との隙間などから漏洩した薬液２や，区画部６や壁部７の上部からオーバーフローした薬液２は、薬液回収部10を経由して薬液貯溜部11に溜められ、再び薬液供給部９から薬液溜部１に供給される。また、このオーバーフローした薬液２が薬液浸漬処理装置４外へ漏洩することは前記外壁部14によって阻止される。
【００３５】
続いて、搬送ライン５が移動すると、引き続き該搬送ライン５の近傍に区画部６が存在している場合と、搬送ライン５が区画部６の薬液排出部20に合致する場合とのいずれかの状態となるが、これらの場合、下記のようになる。
【００３６】
引き続き搬送ライン５の近傍に区画部６が存在している部位へ搬送ライン５が移動した場合、同じ薬液２による薬液浸漬処理が可能となる。即ち、区画部６の前後長によって、各薬液２による薬液浸漬処理時間の比を設定することができる。尚、薬液浸漬処理時間の総和の長短は搬送ライン５の前後長や搬送ライン５の移動速度によって設定することができる。
【００３７】
一方、搬送ライン５が薬液排出部20と合致する部位へ搬送ライン５が移動した場合、ワーク２が浸漬されていた薬液２が該薬液排出部20から一気に排出され、薬液２の液位が低下し、ワーク２が露出する。尚、薬液溜部１の側方に薬液排出部20を設けた場合でも下方に薬液排出部20を設けた場合でも、同様に該薬液排出部20から薬液２が一気に排出される。
【００３８】
続いて、搬送ライン５が薬液排出部20に合致する部位を通過した搬送ライン５が、該搬送ライン５の左右に区画部６が存在している部位へ移動し、該部位における搬送ライン５の下方の薬液供給部10から供給される薬液２（例えば、前に使用した薬液２とは別の薬液２。）によってワーク３に再び薬液浸漬処理が行われる。
【００３９】
即ち、ワーク２が区画部６内で薬液浸漬処理された後、一旦区画部６の薬液排出部20を経由して別の区画部６に達することにより、搬送ライン５を水平移動する薬液浸漬処理装置でありながら、ワーク３に異なる薬液処理を行うことができる。即ち、従来例と異なり、ワーク３を一の薬液処理を行うを一の薬液溜部１から他の薬液処理を行う他の薬液溜部１へと水平移動させることができ、該一の薬液溜部１で使用する薬液２と他の薬液溜部１で使用する薬液２とが混合したりせずに、夫々独立した薬液浸漬処理を行うことができる。
【００４０】
以下、同様に、ワーク３の化学処理に必要な前処理や表面調整処理や薬品浸漬処理や洗浄処理や乾燥処理などが搬送ライン５の移動とともにワーク３に順次施されていく。
【００４１】
本実施例は上述のように、ワーク３が水平方向へ移動する為、ワーク３に薬液浸漬処理を施す薬液溜部１の前後長を必要最低限の長さ、即ち、ワーク３を薬液溜部１内の薬液２に浸漬させる分だけの長さにすることができ、よって、薬液浸漬処理装置４全体の長さを短くすることができる実用性，コンパクト性に秀れた薬液浸漬処理装置となる。
【００４２】
また、従来例のようにワーク３が上方へ移動したり下方へ移動したりしない為、該ワーク３が上方へ移動したり下方へ移動したりする時間の分、ワーク３の一の薬液処理から他の薬液処理までの時間を短縮することができ、異なる薬液浸漬処理を可及的に速やかに連続して行いたい場合などにおいても、該搬送される時間の短縮の分、速やかに異なる薬液浸漬処理を行うことができる実用性に秀れた薬品浸漬処理装置となる。
【００４３】
また、薬液溜部１に薬液２を溜めたり該薬液２が溜められた薬液溜部１から薬液２を除去したりすることで、前後の薬液溜部１間で搬送ライン５を水平移動させても該前後の薬液溜部１の薬液２が混合したりせずに良好に薬液浸漬処理を行うことができる実用性に秀れた薬液浸漬処理装置となる。
【００４４】
また、薬液２が供給される量と薬液２が排出される量との相関によって、薬液溜部１に薬液２を溜めたり該薬液２が溜められた薬液溜部１から薬液２を除去したりすることになるから、簡単な構成で搬送ライン５を水平移動させても前後の薬液溜部１の薬液２が混合したりせずに良好に薬液浸漬処理を行えることになる実用性に秀れた薬液浸漬処理装置となる。
【００４５】
また、薬液溜部１の近傍に区画部６が存在したり存在しなかったりすることにより、薬液溜部１から薬液２が排出される量が変化して薬液２が供給される量と薬液２が排出される量との相関が変化するように構成したから、区画部６の前後長によって同じ薬液２により薬液浸漬処理の時間を設定することができる実用性，設定容易性に秀れた薬液浸漬処理装置となる。
【００４６】
また、薬液２は薬液溜部１の下方から供給されるように構成されているから、薬液２中に気泡が含まれたりせずにワーク３を良好に薬液浸漬処理することができる実用性に秀れた薬液浸漬処理装置となる。
【００４７】
また、搬送ライン５は所定時間で進行と停止とを繰り返す間欠式の搬送ライン５であるから、ワーク３が前後の壁部７と区画部６とによって囲繞された状態を可及的に長時間保持することができ（搬送ライン５が進行のみを行う場合には、搬送ライン５の移動によって区画部６と壁部７との隙間が常に徐々に広がり、該隙間から薬液２が漏洩し易い。）、よって、良好な薬液浸漬処理を行うことができる実用性に秀れた薬液浸漬処理装置となる。
【図面の簡単な説明】
【図１】  従来例の説明図である。
【図２】  従来例の別例の説明図である。
【図３】  本実施例の説明側断面図である。
【図４】  本実施例の説明平面図である。
【図５】  本実施例の要部の説明斜視図であり、並設されている第１，第２及び第３の３つのワーク配設部25の内、第１及び第３のワーク配設部25の壁部７を省略している。
【図６】  本実施例の説明縦断面図である。
【図７】  本実施例の説明縦断面図である。
【符号の説明】
１  薬液溜部
２  薬液
３  ワーク
４  薬液浸漬処理装置
５  搬送ライン，ワーク搬送体
６  区画部
７  壁部
19  薬液通液路
20  薬液導出部，切欠部
21  薬液導入部
22  薬液導出部
25 ワーク配設部
【図１】
0004131599.tif 000002
【図２】
0004131599.tif 000003
【図３】
0004131599.tif 000004
【図４】
0004131599.tif 000005
【図５】
0004131599.tif 000006
【図６】
0004131599.tif 000007
【図７】
0004131599.tif 000008